【手続補正書】
【提出日】平成19年2月20日(2007.2.20)
【手続補正１】
【補正対象書類名】明細書
【補正対象項目名】特許請求の範囲
【補正方法】変更
【補正の内容】
【特許請求の範囲】
【請求項１】
ＤＶＤ／ＣＤ互換光ピックアップ装置用の対物レンズであって、回折面を有し、オレフィン系樹脂を含有する組成物を用いて形成されていることを特徴とする対物レンズ。
【請求項２】
ＤＶＤ／ＣＤ互換光ピックアップ装置に使用される対物レンズであって、回折面を有し、  メルトフローレイトＭＦＲが３０〜６０（ｇ／１０分）を満たす組成物を用いて形成されていることを特徴とする対物レンズ。
【請求項３】
ＤＶＤ／ＣＤ互換光ピックアップ装置に使用される対物レンズにおいて、回折面を有し、
環境温度８０℃、湿度９０％で４８時間曝し、その後室内に３時間放置した後に、６５０ｎｍの波長で外径が１ｍｍの光束を照射した場合における透過率減少は６％以下であることを特徴とする対物レンズ。
【請求項４】
請求項３に記載の対物レンズは、オレフィン系樹脂を含有する組成物を用いて形成されていることを特徴とする対物レンズ。
【請求項５】
請求項３に記載の対物レンズは、メルトフローレイトＭＦＲが３０〜６０（ｇ／１０分）を満たす組成物を用いて形成されていることを特徴とする対物レンズ。
【請求項６】
前記組成物が、オレフィン系樹脂を含有することを特徴とする請求項２又は５に記載の対物レンズ。
【請求項７】
前記オレフィン系樹脂は、環状オレフィン系樹脂であることを特徴とする請求項１，４，６のいずれかに記載の対物レンズ。
【請求項８】
前記環状オレフィン系樹脂は、下記［Ａ−１］〜［Ａ−３］から選ばれる少なくとも１つの繰り返し単位を有することを特徴とする請求項７に記載の対物レンズ。
［Ａ−１］エチレンと下記化学式［化式１］または［化式２］で示される環状オレフィンとのランダム共重合体；
【化１】
2001235677.tif 000001
（化学式［化式１］中、ｎは０または１であり、ｍは０または正の整数であり、ｑは０または１であり、Ｒ1〜Ｒ18ならびにＲaおよびＲbは、それぞれ独立に水素原子、ハロゲン原子またはハロゲンで置換されていてもよい炭化水素基であり、Ｒ15〜Ｒ18は互いに結合して単環または多環を形成していてもよく、かつ該単環または多環は二重結合を有していてもよく、またＲ15とＲ16とで、またはＲ17とＲ18とでアルキリデン基を形成していてもよい。）
【化２】
2001235677.tif 000002
（化学式［化式２］中、ｐおよびｑは０または正の整数であり、ｍおよびｎは０、１または２であリ、Ｒ1〜Ｒ19はそれぞれ独立に水素原子、ハロゲン原子、ハロゲンで置換されていてもよい炭化水素基またはアルコキシ基であり、Ｒ9またはＲ10が結合している炭素原子と、Ｒ13が結合している炭素原子またはＲ11が結合している炭素原子とは直接あるいは炭素数１〜３のアルキレン基を介して結合していてもよく、またｎ＝ｍ＝０のときＲ15とＲ12またはＲ15とＲ19とは互いに結合して単環または多環の芳香族環を形成していてもよい。）
［Ａ−２］上記化学式［化式１］または［化式２］で示される環状オレフィンの開環重合体または共重合体、および、
［Ａ−３］上記開環重合体体または共重合体〔Ａ−２〕の水素化物。
【請求項９】
前記組成物は、同一分子中に親水基と疎水基とを有する化合物を含有することを特徴とする請求項１，４，６〜８のいずれかに記載の対物レンズ。
【請求項１０】
焦点距離ｆと、レンズ外径Ｄとの間には、
０．５≦Ｄ／ｆ≦０．７
が成立することを特徴とする請求項１〜９のいずれかに記載の対物レンズ。
【請求項１１】
軸上厚ｔと、焦点距離ｆとの間には、
０．４５≦ｔ／ｆ≦０．７３
が成立することを特徴とする請求項１〜１０のいずれかに記載の対物レンズ。
【請求項１２】
前記回折面は複数の輪帯を有し、全輪帯数は、１３以上５０以下であることを特徴とする請求項１〜１１のいずれかに記載の対物レンズ。
【請求項１３】
互いに波長の異なる少なくとも２つの光源と、前記光源からの光束をＤＶＤまたはＣＤの記録面上に集光するための対物レンズを含む集光光学系と、前記記録面からの反射光を検出するための受光手段とを有し、
前記対物レンズが、回折面を有し、オレフィン系樹脂を含有する組成物を用いて形成されていることを特徴とするＤＶＤ／ＣＤ互換光ピックアップ装置。
【請求項１４】
互いに波長の異なる少なくとも２つの光源と、前記光源からの光束をＤＶＤまたはＣＤの記録面上に集光するための対物レンズを含む集光光学系と、前記記録面からの反射光を検出するための受光手段とを有し、
前記対物レンズが、回折面を有し、メルトフローレイトＭＦＲが３０〜６０（ｇ／１０分）を満たす組成物を用いて形成されていることを特徴とするＤＶＤ／ＣＤ互換光ピックアップ装置。
【請求項１５】
互いに波長の異なる少なくとも２つの光源と、前記光源からの光束をＤＶＤまたはＣＤの記録面上に集光するための対物レンズを含む集光光学系と、前記記録面からの反射光を検出するための受光手段とを有し、
前記対物レンズが、回折面を有し、環境温度８０℃、湿度９０％で４８時間曝し、その後室内に３時間放置した後に、６５０ｎｍの波長で外径が１ｍｍの光束を照射した場合における透過率減少は６％以下であることを特徴とするＤＶＤ／ＣＤ互換光ピックアップ装置。
【請求項１６】
前記回折面の光路差関数をφ（ｈ）とするとき（ｈは光軸からの距離）、所定距離ｈの箇所でｄφ（ｈ）／ｄｈが不連続または実質的に不連続な関数であることを特徴とする請求項１〜１２のいずれかに記載の対物レンズ。
【請求項１７】
前記所定距離ｈの内側に形成された輪帯のうち最も外側の輪帯における光軸に垂直方向の幅は、前記最も外側の輪帯に隣接し、かつ前記所定距離ｈの外側に形成された輪帯における光軸に垂直方向の幅より小さいことを特徴とする請求項１６に記載の対物レンズ。
【手続補正２】
【補正対象書類名】明細書
【補正対象項目名】００７７
【補正方法】変更
【補正の内容】
【００７７】
また、対物レンズは、光学機能部と、その外周に形成されたフランジ部とを有し、前記フランジ部に切欠を有するのが好ましい。
【手続補正３】
【補正対象書類名】明細書
【補正対象項目名】００７８
【補正方法】変更
【補正の内容】
【００７８】
また、前記切欠は、光軸方向に見たときに、前記フランジ部の略円形の外周面の一部がカットされた部分であるのが好ましい。
【手続補正４】
【補正対象書類名】明細書
【補正対象項目名】００７９
【補正方法】変更
【補正の内容】
【００７９】
また、対物レンズは、像側面の一部に、光軸に対して略垂直な方向に延在する面を有するのが好ましい。
【手続補正５】
【補正対象書類名】明細書
【補正対象項目名】００８３
【補正方法】変更
【補正の内容】
【００８３】
請求項１３に記載のＤＶＤ／ＣＤ互換光ピックアップ装置は、互いに波長の異なる少なくとも２つの光源と、前記光源からの光束をＤＶＤまたはＣＤの記録面上に集光するための対物レンズを含む集光光学系と、前記記録面からの反射光を検出するための受光手段とを有し、前記対物レンズが、回折面を有し、オレフィン系樹脂を含有する組成物を用いて形成されていることを特徴とする。オレフィン系樹脂については詳述したので説明を省略する。又、本発明の対物レンズに関連して説明した効果に対し、構成を同じくする結果同様となる効果についても説明を省略する。
【手続補正６】
【補正対象書類名】明細書
【補正対象項目名】００８４
【補正方法】変更
【補正の内容】
【００８４】
請求項１４に記載のＤＶＤ／ＣＤ互換光ピックアップ装置は、互いに波長の異なる少なくとも２つの光源と、前記光源からの光束をＤＶＤまたはＣＤの記録面上に集光するための対物レンズを含む集光光学系と、前記記録面からの反射光を検出するための受光手段とを有し、前記対物レンズが、回折面を有し、メルトフローレイトＭＦＲが３０〜６０（ｇ／１０分）を満たす組成物を用いて形成されていることを特徴とする。
【手続補正７】
【補正対象書類名】明細書
【補正対象項目名】００８５
【補正方法】変更
【補正の内容】
【００８５】
請求項１５に記載のＤＶＤ／ＣＤ互換光ピックアップ装置は、互いに波長の異なる少なくとも２つの光源と、前記光源からの光束をＤＶＤまたはＣＤの記録面上に集光するための対物レンズを含む集光光学系と、前記記録面からの反射光を検出するための受光手段とを有し、前記対物レンズが、回折面を有し、環境温度８０℃、湿度９０％で４８時間曝し、その後室内に３時間放置した後に、６５０ｎｍの波長で外径が１ｍｍの光束を照射した場合における透過率減少は６％以下であることを特徴とする。
【手続補正８】
【補正対象書類名】明細書
【補正対象項目名】００８６
【補正方法】変更
【補正の内容】
【００８６】
また、ＤＶＤ／ＣＤ互換光ピックアップ装置は、前記対物レンズが、オレフィン系樹脂を含有する組成物を用いて形成されていることが好ましい。
【手続補正９】
【補正対象書類名】明細書
【補正対象項目名】００８７
【補正方法】変更
【補正の内容】
【００８７】
また、ＤＶＤ／ＣＤ互換光ピックアップ装置は、前記対物レンズが、メルトフローレイトＭＦＲが３０〜６０（ｇ／１０分）を満たす組成物を用いて形成されていることが好ましい。
【手続補正１０】
【補正対象書類名】明細書
【補正対象項目名】００８８
【補正方法】変更
【補正の内容】
【００８８】
また、ＤＶＤ／ＣＤ互換光ピックアップ装置は、前記組成物が、オレフィン系樹脂を含有することが好ましい。
【手続補正１１】
【補正対象書類名】明細書
【補正対象項目名】００８９
【補正方法】変更
【補正の内容】
【００８９】
また、ＤＶＤ／ＣＤ互換光ピックアップ装置は、前記オレフィン系樹脂が環状オレフィン系樹脂であることが好ましい。
【手続補正１２】
【補正対象書類名】明細書
【補正対象項目名】００９０
【補正方法】変更
【補正の内容】
【００９０】
また、ＤＶＤ／ＣＤ互換光ピックアップ装置は、前記環状オレフィン系樹脂が、下記［Ａ−１］〜［Ａ−３］から選ばれる少なくとも１つの繰り返し単位を有することが好ましい。
［Ａ−１］エチレンと上記化学式［化式１］または［化式２］で示される環状オレフィンとのランダム共重合体；（化学式［化式１］中、ｎは０または１であり、ｍは０または正の整数であり、ｑは０または１であり、Ｒ1〜Ｒ18ならびにＲaおよびＲbは、それぞれ独立に水素原子、ハロゲン原子またはハロゲンで置換されていてもよい炭化水素基であり、Ｒ15〜Ｒ18は互いに結合して単環または多環を形成していてもよく、かつ該単環または多環は二重結合を有していてもよく、またＲ15とＲ16とで、またはＲ17とＲ18とでアルキリデン基を形成していてもよい。）
（化学式［化式２］中、ｐおよびｑは０または正の整数であり、ｍおよびｎは０、１または２であリ、Ｒ1〜Ｒ19はそれぞれ独立に水素原子、ハロゲン原子、ハロゲンで置換されていてもよい炭化水素基またはアルコキシ基であり、Ｒ9またはＲ10が結合している炭素原子と、Ｒ13が結合している炭素原子またはＲ11が結合している炭素原子とは直接あるいは炭素数１〜３のアルキレン基を介して結合していてもよく、またｎ＝ｍ＝０のときＲ15とＲ12またはＲ15とＲ19とは互いに結合して単環または多環の芳香族環を形成していてもよい。）
［Ａ−２］上記化学式［化式１］または［化式２］で示される環状オレフィンの開環重合体または共重合体、および、
［Ａ−３］上記開環重合体体または共重合体〔Ａ−２〕の水素化物。
【手続補正１３】
【補正対象書類名】明細書
【補正対象項目名】００９１
【補正方法】変更
【補正の内容】
【００９１】
また、ＤＶＤ／ＣＤ互換光ピックアップ装置は、前記組成物が、同一分子中に親水基と疎水基とを有する化合物を含有することが好ましい。
【手続補正１４】
【補正対象書類名】明細書
【補正対象項目名】００９２
【補正方法】変更
【補正の内容】
【００９２】
また、ＤＶＤ／ＣＤ互換光ピックアップ装置は、前記対物レンズにおいて、焦点距離ｆと、レンズ外径Ｄとの間には、
０．５≦Ｄ／ｆ≦０．７              （１）
が成立することが好ましい。
【手続補正１５】
【補正対象書類名】明細書
【補正対象項目名】００９３
【補正方法】変更
【補正の内容】
【００９３】
また、ＤＶＤ／ＣＤ互換光ピックアップ装置は、前記対物レンズの外径Ｄｏと、有効径Ｄｅとの間には、
０．４ｍｍ≦Ｄｏ−Ｄｅ≦３．０ｍｍ              （３）
が成立するのが好ましい。この場合、ＤＶＤ／ＣＤ互換光ピックアップ装置の対物レンズとして要望される小さくしかも高精度のレンズを、高精密な回折面を有し、且つ高性能な光学特性を保有しながら軽量且つ安価に得ることができ、コンパクトなＤＶＤ／ＣＤ互換光ピックアップ装置を実現することができる。
【手続補正１６】
【補正対象書類名】明細書
【補正対象項目名】００９４
【補正方法】変更
【補正の内容】
【００９４】
また、ＤＶＤ／ＣＤ互換光ピックアップ装置は、前記対物レンズの端厚が、０．９ｍｍ以下であるのが好ましい。この場合、よりコンパクトなＤＶＤ／ＣＤ互換光ピックアップ装置を提供できる。
【手続補正１７】
【補正対象書類名】明細書
【補正対象項目名】００９５
【補正方法】変更
【補正の内容】
【００９５】
また、ＤＶＤ／ＣＤ互換光ピックアップ装置は、前記対物レンズの軸上厚ｔと、焦点距離ｆとの間には、
０．４５≦ｔ／ｆ≦０．７３              （２）
が成立することが好ましい。
【手続補正１８】
【補正対象書類名】明細書
【補正対象項目名】００９６
【補正方法】変更
【補正の内容】
【００９６】
また、ＤＶＤ／ＣＤ互換光ピックアップ装置は、前記回折面は複数の輪帯を有し、全輪帯数は、１３以上５０以下であることが好ましい。
【手続補正１９】
【補正対象書類名】明細書
【補正対象項目名】００９７
【補正方法】変更
【補正の内容】
【００９７】
また、ＤＶＤ／ＣＤ互換光ピックアップ装置は、前記対物レンズが、光学機能部と、その外周に形成されたフランジ部とを有し、前記フランジ部に切欠を有することが好ましい。
【手続補正２０】
【補正対象書類名】明細書
【補正対象項目名】００９８
【補正方法】変更
【補正の内容】
【００９８】
また、ＤＶＤ／ＣＤ互換光ピックアップ装置は、前記切欠が、光軸方向に見たときに、前記フランジ部の略円形の外周面の一部がカットされた部分であることが好ましい。
【手続補正２１】
【補正対象書類名】明細書
【補正対象項目名】００９９
【補正方法】変更
【補正の内容】
【００９９】
また、ＤＶＤ／ＣＤ互換光ピックアップ装置は、前記対物レンズの像側面の一部に、光軸に対して略垂直な方向に延在する面を有することが好ましい。
【手続補正２２】
【補正対象書類名】明細書
【補正対象項目名】０１００
【補正方法】変更
【補正の内容】
【０１００】
請求項１６に記載の対物レンズは、前記回折面の光路差関数をφ（ｈ）とするとき（ｈは光軸からの距離）、所定距離ｈの箇所でｄφ（ｈ）／ｄｈが不連続または実質的に不連続となることを特徴とする。
【手続補正２３】
【補正対象書類名】明細書
【補正対象項目名】０１０６
【補正方法】変更
【補正の内容】
【０１０６】
請求項１７に記載の対物レンズは、前記所定距離ｈの内側に形成された輪帯のうち最も外側の輪帯における光軸に垂直方向の幅は、前記最も外側の輪帯に隣接し、かつ前記所定距離ｈの外側に形成された輪帯における光軸に垂直方向の幅より小さいことを特徴とする。
【手続補正２４】
【補正対象書類名】明細書
【補正対象項目名】０１１０
【補正方法】変更
【補正の内容】
【０１１０】
また、対物レンズは、ＣＤに対し、所定の物体距離にある波長λの光源から光を照射した場合、前記所定距離ｈ以下の開口数ＮＡでは、波面収差が０．０７λｒｍｓ以下であり、前記所定距離ｈの内側を通過する光線の球面収差は、前記所定距離ｈの外側を通過する光線の球面収差に対して、１０λ〜１００λ小さいことが好ましい。
【手続補正２５】
【補正対象書類名】明細書
【補正対象項目名】０１１２
【補正方法】変更
【補正の内容】
【０１１２】
また、対物レンズは、前記回折面の、光軸から周辺方向に数えて、あるｉ番目の回折輪帯が次式を満たすことが好ましい。
１．２≦ｐi+1／ｐi≦１０              （４）
ただし、
ｐi：光軸から周辺方向に数えてｉ番目の回折輪帯の、光軸に垂直な方向の幅
【手続補正２６】
【補正対象書類名】明細書
【補正対象項目名】０１１４
【補正方法】変更
【補正の内容】
【０１１４】
この場合、開口数ＮＡが小さい側の使用状態で、所定開口数の外側の球面収差を十分に大きなフレアとすることができる。すなわち、ＮＡが小さい側の使用状態で球面収差を実質的に不連続とし、所定開口数の内側では良好に絞られたスポットを得、その外側の光束は大きなフレアとなって記録再生のために必要な部分のスポットに影響を与えないようにしている。値ｐi+1／ｐiが、式（４）の下限値以上であれば、十分なフレアを得ることができる。一方、値ｐi+1／ｐiが、式（４）の上限値以下であれば、輪帯ピッチが小さすぎることがなく、回折面の製造が容易となる。
【手続補正２７】
【補正対象書類名】明細書
【補正対象項目名】０１１５
【補正方法】変更
【補正の内容】
【０１１５】
また、対物レンズは、ＮＡ０．６０の光線が通る回折輪帯の番号ｍが、
２２≦ｍ≦３２              （５）
をみたすことが好ましい。ただし、回折輪帯の番号は光軸上の輪帯を１とし、順に外側に数える。
【手続補正２８】
【補正対象書類名】明細書
【補正対象項目名】０１１６
【補正方法】変更
【補正の内容】
【０１１６】
この場合、番号ｍが式（５）の下限値以上であれば、光情報記録媒体（例えばＣＤとＤＶＤ等）の基板厚さに起因して生じる球面収差の補正を十分に行え、一方、番号ｍが式（５）の上限値以下であれば、回折効率の良いレンズを作りやすいという利点がある。
【手続補正２９】
【補正対象書類名】明細書
【補正対象項目名】０１１７
【補正方法】変更
【補正の内容】
【０１１７】
また、対物レンズは、前記光線が、波長６３０〜６６５ｎｍの範囲内で、略平行な光束で入射されることが好ましい。
【手続補正３０】
【補正対象書類名】明細書
【補正対象項目名】０１１８
【補正方法】変更
【補正の内容】
【０１１８】
また、対物レンズは、ＤＶＤ用の波長をλ１、ＣＤ用の波長をλ２（λ１＜λ２）とし、
前記波長λ１の光束により、ＤＶＤの記録または再生を行うのに必要な像側の必要開口数をＮＡ１とし、前記波長λ２の光束により、ＣＤの記録または再生を行うのに必要な像側の必要開口数をＮＡ２（ＮＡ１≧ＮＡ２）とした時、
前記波長λ１とＤＶＤと前記必要開口数ＮＡ１の組み合わせに対して、波面収差が０．０７λ１ｒｍｓ以下であり、
かつ、前記波長λ２とＣＤと前記必要開口数ＮＡ２の組み合わせに対して、波面収差が０．０７λ２ｒｍｓ以下であり、
かつ、波長λ２とＣＤの組み合わせに対して前記必要開口数ＮＡ２以上の光束をフレアにすることが好ましい。
【手続補正３１】
【補正対象書類名】明細書
【補正対象項目名】０１１９
【補正方法】変更
【補正の内容】
【０１１９】
また、対物レンズは、ＣＤに対し、所定の物体距離にある前記波長λ２の光源から光を照射した場合、前記必要開口数ＮＡ２以上ＮＡ１以下の光束が、ＣＤの記録面上では径ｗ２以上ｗ１以下の範囲に分布し、
１０μｍ≦ｗ２≦５０μｍ                      （６）
２０μｍ≦ｗ１−ｗ２≦１１０μｍ              （７）
を満たすことが好ましい。
【手続補正３２】
【補正対象書類名】明細書
【補正対象項目名】０１２３
【補正方法】変更
【補正の内容】
【０１２３】
また、対物レンズは、ＣＤに対し、所定の物体距離にある前記波長λ２の光源から光を照射した場合、前記所定距離ｈ以下の開口数ＮＡでは、波面収差が０．０７λ２ｒｍｓ以下であり、前記所定距離ｈの内側を通過する光線の球面収差は、前記所定距離ｈの外側を通過する光線の球面収差に対して、１０λ２〜１００λ２小さいことが好ましい。
【手続補正３３】
【補正対象書類名】明細書
【補正対象項目名】０１２４
【補正方法】変更
【補正の内容】
【０１２４】
また、対物レンズは、前記波長λ１は、６３０〜６６５ｎｍの範囲にある波長であり、前記波長λ２は、７５０〜８１０ｎｍの範囲にある波長とすると、ＤＶＤ又はＣＤの情報記録及び／又は再生可能なＤＶＤ／ＣＤ互換光ピックアップ装置に好適である。
【手続補正３４】
【補正対象書類名】明細書
【補正対象項目名】０１２５
【補正方法】変更
【補正の内容】
【０１２５】
また、ＤＶＤ／ＣＤ互換光ピックアップ装置は、前記回折面の光路差関数をφ（ｈ）とするとき（ｈは光軸からの距離）、所定距離ｈの箇所でｄφ（ｈ）／ｄｈが不連続または実質的に不連続な関数であることが好ましい。
【手続補正３５】
【補正対象書類名】明細書
【補正対象項目名】０１２６
【補正方法】変更
【補正の内容】
【０１２６】
また、ＤＶＤ／ＣＤ互換光ピックアップ装置は、前記所定距離ｈの内側に形成された輪帯のうち最も外側の輪帯における光軸に垂直方向の幅は、前記最も外側の輪帯に隣接し、かつ前記所定距離ｈの外側に形成された輪帯における光軸に垂直方向の幅より小さいことが好ましい。
【手続補正３６】
【補正対象書類名】明細書
【補正対象項目名】０１２７
【補正方法】変更
【補正の内容】
【０１２７】
また、ＤＶＤ／ＣＤ互換光ピックアップ装置は、前記対物レンズを介して、ＣＤに対し、所定の物体距離にある波長λの光源から光を照射した場合、前記所定距離ｈ以下の開口数ＮＡでは、波面収差が０．０７λｒｍｓ以下であり、前記所定距離ｈの内側を通過する光線の球面収差は、前記所定距離ｈの外側を通過する光線の球面収差に対して、１０λ〜１００λ小さいことが好ましい。
【手続補正３７】
【補正対象書類名】明細書
【補正対象項目名】０１２８
【補正方法】変更
【補正の内容】
【０１２８】
また、ＤＶＤ／ＣＤ互換光ピックアップ装置は、前記回折面の、光軸から周辺方向に数えて、あるｉ番目の回折輪帯が次式を満たすことが好ましい。
１．２≦ｐi+1／ｐi≦１０              （４）
ただし、
ｐi：光軸から周辺方向に数えてｉ番目の回折輪帯の、光軸に垂直な方向の幅
【手続補正３８】
【補正対象書類名】明細書
【補正対象項目名】０１２９
【補正方法】変更
【補正の内容】
【０１２９】
また、ＤＶＤ／ＣＤ互換光ピックアップ装置は、ＮＡ０．６０の光線が通る回折輪帯の番号ｍが、
２２≦ｍ≦３２              （５）
をみたすことが好ましい。
【手続補正３９】
【補正対象書類名】明細書
【補正対象項目名】０１３０
【補正方法】変更
【補正の内容】
【０１３０】
また、ＤＶＤ／ＣＤ互換光ピックアップ装置は、前記２つの光源のうち、ＤＶＤ用の光源の波長をλ１、ＣＤ用の光源の波長λ２（λ１＜λ２）とし、
前記波長λ１の光束により、ＤＶＤの記録または再生を行うのに必要な像側の必要開口数をＮＡ１とし、前記波長λ２の光束により、ＣＤの記録または再生を行うのに必要な像側の必要開口数をＮＡ２（ＮＡ１≧ＮＡ２）とした時、
前記波長λ１とＤＶＤと前記必要開口数ＮＡ１の組み合わせに対して、波面収差が０．０７λ１ｒｍｓ以下であり、
かつ、前記波長λ２とＣＤと前記必要開口数ＮＡ２の組み合わせに対して、波面収差が０．０７λ２ｒｍｓ以下であり、
かつ、前記波長λ２とＣＤの組み合わせに対して前記必要開口数ＮＡ２以上の光束をフレアにすることが好ましい。
【手続補正４０】
【補正対象書類名】明細書
【補正対象項目名】０１３１
【補正方法】変更
【補正の内容】
【０１３１】
また、ＤＶＤ／ＣＤ互換光ピックアップ装置は、前記対物レンズを介して、ＣＤに対し、所定の物体距離にある前記波長λ２の光源から光を照射した場合、前記必要開口数ＮＡ２以上ＮＡ１以下の光束が、ＣＤの記録面上では径ｗ２以上ｗ１以下の範囲に分布し、
１０μｍ≦ｗ２≦５０μｍ                      （６）
２０μｍ≦ｗ１−ｗ２≦１１０μｍ              （７）
を満たすことが好ましい。
【手続補正４１】
【補正対象書類名】明細書
【補正対象項目名】０１３２
【補正方法】変更
【補正の内容】
【０１３２】
また、ＤＶＤ／ＣＤ互換光ピックアップ装置は、前記波長λ１とＤＶＤの組み合わせに対する前記対物レンズの物点と、前記波長λ２とＣＤの組み合わせに対する前記対物レンズの物点とが、光学的に等しい距離にあることが好ましい。
【手続補正４２】
【補正対象書類名】明細書
【補正対象項目名】０１３３
【補正方法】変更
【補正の内容】
【０１３３】
また、ＤＶＤ／ＣＤ互換光ピックアップ装置は、前記波長λ１は、６３０〜６６５ｎｍの範囲にある波長であり、前記波長λ２は、７５０〜８１０ｎｍの範囲にある波長であることが好ましい。
【手続補正４３】
【補正対象書類名】明細書
【補正対象項目名】０１３４
【補正方法】変更
【補正の内容】
【０１３４】
また、対物レンズは、開口数ＮＡが０．５〜０．７の範囲における波長λの光束が通過したときの球面収差量は、開口数ＮＡが０．５未満における波長λの光束が通過したときの球面収差量よりも、１０λ〜１００λ以上大きいことが好ましい。
【手続補正４４】
【補正対象書類名】明細書
【補正対象項目名】０１３５
【補正方法】変更
【補正の内容】
【０１３５】
また、ＤＶＤ／ＣＤ互換光ピックアップ装置は、前記対物レンズに、開口数ＮＡが０．５〜０．７の範囲における波長λの光束が通過したときの球面収差量は、開口数ＮＡが０．５未満における波長λの光束が通過したときの球面収差量よりも、１０λ〜１００λ以上大きいことが好ましい。
また、光ピックアップ装置は、前記対物レンズの少なくとも一つの面の回折輪帯において、前記所定距離ｈの内側に形成された輪帯のうち最も外側の輪帯における光軸に垂直方向の幅は、前記最も外側の輪帯に隣接し、かつ前記所定距離ｈの外側に形成された輪帯における光軸に垂直方向の幅より小さいことが好ましい。
【手続補正４５】
【補正対象書類名】明細書
【補正対象項目名】０１３６
【補正方法】変更
【補正の内容】
【０１３６】
また、ＤＶＤ／ＣＤ互換光ピックアップ装置は、前記対物レンズに、開口数ＮＡが０．５未満の光束が通過したときに、ＣＤから反射した光束は、前記受光手段の受光面内に含まれるように、前記受光手段に向かって照射され、開口数ＮＡが０．５以上の光束が通過したときに、ＣＤから反射した光束は、前記受光手段の受光面を除く周囲に照射されることが好ましい。
【手続補正４６】
【補正対象書類名】明細書
【補正対象項目名】０１３７
【補正方法】変更
【補正の内容】
【０１３７】
また、ＤＶＤ／ＣＤ互換光ピックアップ装置は、前記受光手段は、１個ないし３個のほぼ矩形状の受光面を有しており、前記開口数ＮＡが０．５以上の光束のＣＤの記録面上でのスポット径は５μｍ以上であることが好ましい。
【手続補正４７】
【補正対象書類名】明細書
【補正対象項目名】０１３８
【補正方法】変更
【補正の内容】
【０１３８】
また、ＤＶＤ／ＣＤ互換光ピックアップ装置は、前記受光手段は、略一直線上に並べた３個の矩形状の受光面を有し、前記開口数ＮＡが０．５以上の光束のＣＤの記録面上でのスポット径は２５μｍ以上であることが好ましい。
【手続補正４８】
【補正対象書類名】明細書
【補正対象項目名】０１３９
【補正方法】変更
【補正の内容】
【０１３９】
また、ＤＶＤ／ＣＤ互換光ピックアップ装置は、前記対物レンズに、必要開口数ＮＡが０．５以上の光束が通過したときに、ＣＤから反射した光束は、前記周辺受光面のみを含むように、前記受光手段に向かって照射されることが好ましい。
【手続補正４９】
【補正対象書類名】明細書
【補正対象項目名】０１４０
【補正方法】変更
【補正の内容】
【０１４０】
また、ＤＶＤ／ＣＤ互換光ピックアップ装置は、前記受光手段は、少なくとも２個のストライプ状の受光面を有し、前記開口数ＮＡが０．５以上の光束のＣＤの記録面上でのスポット径は２０μｍ以上であることが好ましい。
【手続補正５０】
【補正対象書類名】明細書
【補正対象項目名】０１４１
【補正方法】変更
【補正の内容】
【０１４１】
また、ＤＶＤ／ＣＤ互換光ピックアップ装置は、前記受光手段は、少なくとも４個のストライプ状の受光面を有し、前記開口数ＮＡが０．５以上のＣＤの記録面上での光束のスポット径は５０μｍ以上であることが好ましい。
【手続補正５１】
【補正対象書類名】明細書
【補正対象項目名】０１４３
【補正方法】変更
【補正の内容】
【０１４３】
この場合においては、ＤＶＤ及びＣＤの２つの光情報記録媒体のうち、必要開口数の小さい光情報記録媒体、すなわちＣＤに対して、開口数ＮＡが０．５以上の波長λの光束が前記対物レンズを通過したときに、回折面によりフレアが形成されるようになっている。図８（ｂ）に示すように、開口数ＮＡが０．５未満の波長λの光束は、中央受光面ＣＳの中央にスポットを形成するが、開口数ＮＡが０．５以上の波長λの光束は、内径φ１のフレア光となって照射される。このときに、内径φ１が十分大きく、中央受光面ＣＳを完全に内包するようであれば、開口数ＮＡが０．５以上の波長λの光束が周辺受光面ＰＳのみに照射されることとなり、この場合でいう受光面としての中央受光面ＣＳにおいて不要な光が検出されることが防止され、誤検出を防止することが出来る。
【手続補正５２】
【補正対象書類名】明細書
【補正対象項目名】０１４５
【補正方法】変更
【補正の内容】
【０１４５】
上述のＤＶＤ／ＣＤ互換光ピックアップ装置の如く、前記受光手段が、１個ないし３個のほぼ矩形状の受光面を有している場合、開口数ＮＡが０．５以上の光束のＣＤの記録面上でのスポット径は５μｍ以上であれば、別体型受光手段において、中央受光面ＣＳに不要な光が入りづらくなり、誤検出を防止することが出来る。
【手続補正５３】
【補正対象書類名】明細書
【補正対象項目名】０１４６
【補正方法】変更
【補正の内容】
【０１４６】
上述のＤＶＤ／ＣＤ互換光ピックアップ装置のごとく、前記受光手段が、略一直線上に並べた３個の矩形状の受光面を有し、開口数ＮＡが０．５以上の光束のＣＤの記録面上でのスポット径は２５μｍ以上であれば、別体型受光手段において、さらに周辺受光面ＰＳに不要な光が入りづらくなり、誤検出を更に防止できる。
【手続補正５４】
【補正対象書類名】明細書
【補正対象項目名】０１４７
【補正方法】変更
【補正の内容】
【０１４７】
これに対し、図８（ａ）に示すように、一体型受光手段は、少なくとも２個以上、通常は４個以上のストライプ状の受光面から成り立っている。開口数ＮＡが０．５未満の波長λの光束は、中央受光面群ＣＳの間にスポットを形成するが、開口数ＮＡが０．５以上の波長λの光束は、内径φ１のフレア光となって照射される。このときに、内径φ１が十分大きく、中央受光面群ＣＳを完全に内包するようであれば、開口数ＮＡが０．５以上の波長λの光束が周辺受光面ＰＳのみに照射されることとなり、この場合でいう受光面としての中央受光面群ＣＳにおいて不要な光が検出されることが防止され、誤検出を防止することが出来る。
【手続補正５５】
【補正対象書類名】明細書
【補正対象項目名】０１４８
【補正方法】変更
【補正の内容】
【０１４８】
上述のＤＶＤ／ＣＤ互換光ピックアップ装置の如く、少なくとも２個のストライプ状の受光面を有し、開口数ＮＡが０．５以上の光束のＣＤの記録面上でのスポット径は２０μｍ以上であれば、一体型受光手段において、中央受光面ＣＳに不要な光が入りづらくなり、誤検出を防止することが出来る。
【手続補正５６】
【補正対象書類名】明細書
【補正対象項目名】０１４９
【補正方法】変更
【補正の内容】
【０１４９】
更に、上述のＤＶＤ／ＣＤ互換光ピックアップ装置の如く、少なくとも４個のストライプ状の受光面を有し、開口数ＮＡが０．５以上の光束のＣＤの記録面上でのスポット径は５０μｍ以上であれば、一体型受光手段において、さらに周辺受光面ＰＳに不要な光が入りづらくなり、誤検出を更に防止できる。